(57)【要約】      （修正有）【課題】一種類の梱包用収納箱で個体や個装小箱の収納数が変化した場合（例えば６個から５個又は４個）でも、簡単な折り込み操作を行なうだけで収納箱内の容積を変化させることができ、さらに収納した個体や個装小箱の側壁を二面支持で強力に支持できるようにした梱包用収納箱を提供する。【解決手段】縦横折曲線を介して蓋板と底板とに、三方側板と重ね側板とを連接し、蓋板と底板との間に連結側板を配設してなる梱包用収納箱であって、蓋板と底板の対向する位置に、略対称状に、蓋板と底板の各一隅部又は二隅部を区切る状態の斜め折曲線を形成し、この斜め折曲線に連続する延長折曲線を三方側板上に形成し、連結側板上には連結折曲線を形成した。【選択図】図１
0003115135.tif 000002
【実用新案登録請求の範囲】
【請求項１】
展開図において、縦横折曲線を介して蓋板と底板とに、三方側板と重ね側板とを連接し、前記蓋板と底板との間に連結側板を配設してなる梱包用収納箱であって、前記蓋板と底板の対向する位置に、略対称状に、蓋板と底板の各一隅部を区切る状態の斜め折曲線を形成し、この斜め折曲線に連続する延長折曲線を三方側板上に形成し、連結側板上には連結折曲線を形成したことを特徴とする梱包用収納箱。
【請求項２】
展開図において、縦横折曲線を介して蓋板と底板とに、三方側板と重ね側板とを連接し、前記蓋板と底板との間に連結側板を配設してなる梱包用収納箱であって、前記蓋板と底板の対向する位置に、略対称状に、蓋板と底板の各二隅部を区切る状態の斜め折曲線を形成し、この斜め折曲線に連続する延長折曲線を三方側板上に形成し、連結側板上には連結折曲線を形成したことを特徴とする梱包用収納箱。
【請求項３】
重ね側板の縁端部に差し込み突起を形成し、蓋板と底板における連結側板と隣接する位置付近に、前記差し込み突起を差し込むための差し込み孔を穿設したことを特徴とする請求項１又は２記載の梱包用収納箱。
【請求項４】
延長折曲線を形成した三方側板から、連結側板上の連結折曲線までの高さ距離寸法において、蓋板側の高さ距離寸法が、底板側の高さ距離寸法よりも短寸となるように形成されていることを特徴とする請求項１乃至３の何れかに記載の梱包用収納箱。
【考案の詳細な説明】
【技術分野】
【０００１】
本考案は、複数個の個体や個装小箱（以下単に、「個装小箱」という）をまとめて梱包して保護収納し、安全かつ効率的に配送するのに適した梱包用収納箱に関するものである。
ここで梱包用収納箱に収納される個体や個装小箱の例としては、食品、化粧品などの製品が好例である。
【背景技術】
【０００２】
従来梱包用収納箱はある程度の強度を確保したダンボール紙製であり、その中に例えば安全かつ効率的な配送をするための事情などから個装小箱を６個ずつまとめて梱包して保護収納する例が多く見られる。          
この梱包用収納箱は製造コストの理由から、一種類を用意することで、個装小箱６個に対応することが普通のことであるが、ときにはこの梱包用収納箱で５個又は４個の個装小箱に対応する必要がある場合もある。このように５個又は４個の個装小箱に対応する場合には、梱包用収納箱内に１個分又は２個分に相当する空間が生じてしまうので梱包用収納箱内に緩衝材に相当するスペーサーを用意しなければならなくなり、その手間とコストは無視できない状態であった。
このような問題に対応するため、下記に示すような特許文献１の考案も提案されている。
【０００３】
【特許文献１】実開昭５７−１４４８１３号公報
【考案の開示】
【考案が解決しようとする課題】
【０００４】
上記特許文献１に記載された梱包用収納箱は、箱のサイド部分を内側に折り込むことで、緩衝材を用いることなく箱内の円形状の収納商品を保護することを目的とするものであり、これは内側折込部の一面で収納した中身製品を支持するものであった。これは中身製品の支持力が弱く、また本考案の目的に示したような個装小箱の収納数の変化に対応できるものではない点において根本的な問題点があった。
【０００５】
本考案は、上記の全ての問題点を解消して、一種類の梱包用収納箱で個体や個装小箱の収納数が変化した場合（例えば６個から５個又は４個）でも、簡単な折り込み操作を行なうだけで収納箱内の容積を変化させることができ、さらに収納した個体や個装小箱の側壁を二面支持で強力に支持できるようにした梱包用収納箱を提供せんとするものである。
【課題を解決するための手段】
【０００６】
上記目的を達成するために、請求項１記載の考案は、展開図において、縦横折曲線を介して蓋板と底板とに、三方側板と重ね側板とを連接し、前記蓋板と底板との間に連結側板を配設してなる梱包用収納箱であって、前記蓋板と底板の対向する位置に、略対称状に、蓋板と底板の各一隅部を区切る状態の斜め折曲線を形成し、この斜め折曲線に連続する延長折曲線を三方側板上に形成し、連結側板上には連結折曲線を形成したことを特徴とする梱包用収納箱である。
【０００７】
請求項２記載の考案は、展開図において、縦横折曲線を介して蓋板と底板とに、三方側板と重ね側板とを連接し、前記蓋板と底板との間に連結側板を配設してなる梱包用収納箱であって、前記蓋板と底板の対向する位置に、略対称状に、蓋板と底板の各二隅部を区切る状態の斜め折曲線を形成し、この斜め折曲線に連続する延長折曲線を三方側板上に形成し、連結側板上には連結折曲線を形成したことを特徴とする梱包用収納箱である。
【０００８】
請求項３記載の考案は、重ね側板の縁端部に差し込み突起を形成し、蓋板と底板における連結側板と隣接する位置付近に、前記差し込み突起を差し込むための差し込み孔を穿設したことを特徴とする請求項１又は２記載の梱包用収納箱である。
【０００９】
請求項４記載の考案は、延長折曲線を形成した三方側板から、連結側板上の連結折曲線までの高さ距離寸法において、蓋板側の高さ距離寸法が、底板側の高さ距離寸法よりも短寸になるように形成されていることを特徴とする請求項１乃至３の何れかに記載の梱包用収納箱である。
【考案の効果】
【００１０】
以上述べたように、請求項１の梱包用収納箱によれば、収納箱のサイド部分の片側を内側に折り込むことで、収納箱内の容積を変化させることができ、収納箱内に収納する個体や個装小箱の数が変化しても、一種類の梱包用収納箱でいずれにも対応でき、同時に緩衝材を用いることなく収納箱内の個体や個装小箱を二面支持の状態で安定的に確実に保護することができるという効果がある。
【００１１】
また請求項２の梱包用収納箱によれば、収納箱のサイド部分の両側を内側に折り込むことで、収納箱内の容積を変化させることができ、収納箱内に収納する個体や個装小箱の数が変化しても、一種類の梱包用収納箱でいずれにも対応でき、同時に緩衝材を用いることなく収納箱内の個体や個装小箱を二面支持の状態で安定的に確実に保護することができるという効果がある。
この考案によれば、収納箱のサイド部分を折り込まない状態と、片側のサイド部分のみを折り込んだ状態と、両側のサイド部分を折り込んだ状態との三態様に対応できるようになり、一層変化性に富んだものとなる効果がある。
【００１２】
また請求項３の梱包用収納箱によれば、梱包用収納箱の組み立てに際し、差し込み孔と差し込み突起を利用して組み立てることで、効率的に安定性の高い梱包用収納箱が完成するという効果がある。
【００１３】
さらに請求項４の梱包用収納箱によれば、延長折曲線を形成した三方側板から、連結側板上の連結折曲線までの高さ距離寸法において、蓋板側の高さ距離寸法が、底板側の高さ距離寸法よりも短寸となるように形成したので、連結側板を内側に折り込む際に、連続する三方側板同士がぶつかり合うことがなくなり、安定した組み立てができるという効果がある。
【考案を実施するための最良の形態】
【００１４】
以下添付図面に基づいて、本考案に係る梱包用収納箱の実施例を詳説する。
図１は本考案梱包用収納箱の展開図、図２は前図の状態から重ね側板と三方側板を起立させた状態の斜視図、図３は前図の状態から蓋板を底板に被せた状態の斜視図、図４は図２の状態から連結側板を内側に押し込みながら蓋板を底板に被せようとする状態の斜視図、図５は前図の状態から蓋板を底板に完全に被せ終わった状態の斜視図、図６は前図のＸ−Ｘ線縦断面図、図７は同Ｙ−Ｙ線縦断面図、図８は６個の個装小箱を梱包用収納箱に収納した状態の平面図、図９は５個の個装小箱を梱包用収納箱に収納した状態の平面図である。
【実施例１】
【００１５】
本考案の梱包用収納箱１１は、全体がダンボール紙や板紙で形成され、図１の展開図に示すように、蓋板１と底板２は横折曲線bを介して連結側板３を配設しており、蓋板１と底板２の連結側板３に接しない三辺には縦折曲線ａや横折曲線bを介して三方側板４，４，４が連接されている。
【００１６】
横折曲線bを介して連接されている一部の三方側板４の先には、さらに横折曲線bを介して重ね側板５が連接されている。また重ね側板５の縁端部には差し込み突起８が形成されており、蓋板１と底板２における連結側板３と隣接する位置付近には、差し込み突起８を差し込むための差し込み孔７が穿設されている。
さらに三方側板４の側端の一部にはフラップ片６が取り付けられ、フラップ片６を取り付けない他の側端の一部は、必要に応じて切欠部９が形成される。
【００１７】
つぎに、前記蓋板１と底板２の対向する位置には、略対称状に、蓋板１と底板２の各一隅部を区切る状態に、斜め折曲線ｃ，ｄを形成し、この斜め折曲線ｃ，ｄに連続する延長折曲線ｅ，ｆを三方側板４上に形成し、連結側板３上には連結折曲線ｇを形成している。
【００１８】
なお図１において、斜め折曲線ｃ，ｄの延長折曲線ｅ，ｆを形成した三方側板４から、連結側板３上の連結折曲線ｇまでの高さ距離寸法Ｌ１，Ｌ２において、蓋板側の高さ距離寸法Ｌ１が、底板側の高さ距離寸法Ｌ２よりも短寸となるように形成されているので、連結側板３上の連結折曲線ｇは図１では垂直とはならずやや斜めになっている。
【００１９】
これは図４、図５に示すように、梱包用収納箱１１の連結側板３部分を内側に押し込んで収納内部の面積を小さくする際に、蓋板１側の三方側板４が、底板２側の三方側板４よりも外側に位置できるようにして、三方側板４同士の衝突を避け、梱包用収納箱１１の組み立て時の完成を確実に行なうためのものである。
なお三方側板４の切欠部９の存在も、この理由と全く同様である。
【００２０】
上記の構成に係る梱包用収納箱１１を、連結側板３部分を内側に押し込みながら蓋板１を底板２に被せると、収納内部の面積が小さくなり個装小箱１０の収納個数を少なくしたケース（図９参照）に対応することができ、反対に連結側板３部分を内側に押し込まずに、そのままの状態で蓋板１を底板２に被せると、収納内部の面積を大きくすると個装小箱１０の収納個数を多くしたケース（図８参照）に対応することができる。
【００２１】
本考案は上記のとおり、一種類の梱包用収納箱１１を用意するだけで、個装小箱１０の収納個数の変化に適確に対応することができ、またその対応変化に対しても、連結側板３部分を押し込むか否かという操作上の違いのみであるため、梱包用収納箱１１の組み立て操作がきわめて簡単に行なえる。
【００２２】
また個装小箱１０の収納個数を少なくしたケース（図９参照）と、収納個数を多くしたケース（図８参照）のいずれの場合にあっても、個装小箱１０の収納安定性に優れ、特に収納個数を少なくしたケースの場合には、従来用いていたスペーサーを利用することなく個装小箱１０を二面支持にて押圧保持するため、収納安定性の確保は万全である。
さらに本考案の梱包用収納箱１１の完成形態としては、組み箱のほかに貼り箱やステープル止め箱など、いずれのタイプのものにも対応できることはもちろんである。
【実施例２】
【００２３】
本考案の梱包用収納箱１１は、前記した実施例１のほかに、蓋板１と底板２の二隅部を区切る状態の斜め折曲線を形成することもできる。実施例１との相違は、斜め折曲線ｃ，ｄを二組設ける点であり、それ以外の構成は全て実施例１と同様である。
【００２４】
実施例２の作用効果は、実施例１と殆ど同じであるが、梱包用収納箱１１の連結側板３部分を二箇所において内側に押し込んで収納内部の面積を小さくすることができるので、同一の梱包用収納箱１１でありながら、三態様の収納個数の変化（前記の例で言えば、６個の場合と、５個の場合と、４個の場合）に対応できるようになるという、大きな変化性を確保できることとなる。
【産業上の利用可能性】
【００２５】
本考案の梱包用収納箱は、個体や個装小箱の流通を行なう各種業界において、特に利用することが可能である。
【図面の簡単な説明】
【００２６】
【図１】本考案梱包用収納箱の展開図である。
【図２】前図の状態から重ね側板と三方側板を起立させた状態の斜視図である。
【図３】前図の状態から蓋板を底板に被せた状態の斜視図である。
【図４】図２の状態から連結側板を内側に押し込みながら蓋板を底板に被せようとする状態の斜視図である。
【図５】前図の状態から蓋板を底板に完全に被せ終わった状態の斜視図である。
【図６】前図のＸ−Ｘ線縦断面図である。
【図７】同Ｙ−Ｙ線縦断面図である。
【図８】６個の個装小箱を梱包用収納箱に収納した状態の平面図である。
【図９】５個の個装小箱を梱包用収納箱に収納した状態の平面図である。
【符号の説明】
【００２７】
１…蓋板
２…底板
３…連結側板
４…三方側板
５…重ね側板
６…フラップ片
７…差し込み孔
８…差し込み突起
９…三方側板の切欠部
１０…個装小箱
１１…梱包用収納箱
Ｌ１…高さ距離寸法
Ｌ２…高さ距離寸法
ａ…縦折曲線
ｂ…横折曲線
ｃ，ｄ…斜め折曲線
ｅ，ｆ…延長折曲線
ｇ…連結折曲線
【図１】
0003115135.tif 000003
【図２】
0003115135.tif 000004
【図３】
0003115135.tif 000005
【図４】
0003115135.tif 000006
【図５】
0003115135.tif 000007
【図６】
0003115135.tif 000008
【図７】
0003115135.tif 000009
【図８】
0003115135.tif 000010
【図９】
0003115135.tif 000011